(57)【要約】【課題】設置スペースや搭載重量を抑えつつ画像伝送信号の周波数が高い場合でも十分なシールド性を確保することのできる撮像装置を提供する。【解決手段】撮像素子１４および第１の接続端子１６を含む電子回路ユニット１５と、第１の接続端子１６を露出させる開口部１０ｂを有するケース１０と、電子回路ユニット１５を取り囲む状態でケース１０内に収納されたシールドケース１９と、開口部１０ｂを閉塞する蓋状をなすとともに第１の接続端子１６に接続される第２の接続端子１７が実装された蓋状体１８とを備えた撮像装置であって、第２の接続端子１７は第１の接続端子１６に対し半径方向外側に離間しつつ外側コンタクト１７ａに導通するシェル１７ｂを有し、シールドケース１９は第１の接続端子１６が貫通する貫通穴１９ｈを有し、貫通穴１９ｈの周囲には、シェル１７ｂとシールドケース１９を所定の接触圧で導通させるウェーブワッシャ３１が設けられる。【選択図】図１
2015210292.tif 000002
【特許請求の範囲】
【請求項１】
撮像素子および第１の接続端子を含む電子回路ユニットと、前記電子回路ユニットを収納する凹部および前記第１の接続端子を露出させる開口部を有するケースと、前記電子回路ユニットを取り囲む状態で前記ケース内に収納されたシールドケースと、前記開口部を閉塞する蓋状をなすとともに前記第１の接続端子に接続される第２の接続端子が実装された蓋状体と、を備えた撮像装置であって、
前記第２の接続端子は、前記第１の接続端子に対し半径方向の外側に離間する筒状の外部導体を有するとともに、
前記シールドケースは、前記第１の接続端子が貫通する貫通穴を有し、
前記貫通穴の周囲には、前記外部導体と前記シールドケースとを所定の接触圧で導通させるよう弾性変形する弾性導通部材が設けられていることを特徴とする撮像装置。
【請求項２】
前記弾性導通部材が、前記外部導体と前記シールドケースの間で圧縮される導電性の環状弾性部材によって構成されていることを特徴とする請求項１に記載の撮像装置。
【請求項３】
前記環状弾性部材が、前記外部導体の周囲で前記貫通穴を覆う導電性のウェーブワッシャによって構成されていることを特徴とする請求項２に記載の撮像装置。
【請求項４】
前記弾性導通部材が、互いに前記貫通穴の周方向に離間しつつ前記貫通穴の径方向に延びるよう前記シールドケースに一体に設けられた複数の撓み腕部によって構成されていることを特徴とする請求項１に記載の撮像装置。
【請求項５】
前記蓋状体によって前記開口部が閉塞された状態で、前記蓋状体を前記ケースに固定する固定機構をさらに備えたことを特徴とする請求項１ないし請求項４のいずれか１項に記載の撮像装置。
【発明の詳細な説明】
【技術分野】
【０００１】
本発明は、撮像装置に関し、特に車載カメラ等に好適な撮像装置に関する。
【背景技術】
【０００２】
車両等の移動体において、運転支援や安全性確保のために撮像装置が多用されるようになってきたが、このような撮像装置では、設置スペースや搭載重量を抑えることが要求される。また、撮像装置に対する要求性能が高度化するのに伴って画像伝送の高速化が要求され、画像伝送信号等の周波数が高くなってきたため、撮像装置におけるシールド性の強化が要求されてきている。
【０００３】
従来の撮像装置として、例えば撮像素子および雌端子を含む電子回路ユニットをフロントケース内に収納してその雌端子をフロントケースのリヤ側開口内に露出させる一方、複数の雄端子をリヤケースに予め挿設しておき、フロントケースのリヤ側開口部をリヤケースで閉止するときに雄端子と雌端子を嵌合させるようにして、ケース内の電気接続状態の安定化を図ったものが知られている（例えば、特許文献１参照）。
【０００４】
また、撮像素子およびコネクタ部材を含む電子回路ユニットを導電性のシールドケースにより取り囲んだ状態でケース内に収納するとともに、そのシールドケースを電子回路ユニットにおける基準電位もしくはグランドレベルに電気的に接続して、シールド性能を確保するようにしているものが知られている（例えば、特許文献２参照）。
【先行技術文献】
【特許文献】
【０００５】
【特許文献１】特開２０１３−２１０４８０号公報
【特許文献２】特開２０１１−２５９１０１号公報
【発明の概要】
【発明が解決しようとする課題】
【０００６】
しかしながら、上記従来の撮像装置にあっては、撮像装置を含む電子回路ユニットを外部の電源や画像処理回路に接続するための接続端子がシールドケースを貫通する部分等に比較的大きな隙間や開口が形成されていた。そのため、画像信号を含む伝送信号の周波数がより高くなると、電磁的な不干渉性および耐性であるＥＭＣ（electromagnetic compatibility；電磁両立性）等の要求性能、すなわち、十分なシールド性が確保できなくなる可能性があった。
【０００７】
例えば、撮像装置の高性能化に伴って画像伝送信号の周波数を高めて伝送速度を高める場合や信号伝送方式として電源重畳方式を採用するような場合に、シールドケースの比較的小さなスリット状の隙間や接続端子がシールドケースを貫通する部分の環状隙間等を電波が通過し易くなり、十分なシールド性が確保できなくなる可能性があった。
【０００８】
本発明は、上述のような従来の課題を解決すべくなされたものであり、設置スペースや搭載重量を抑えつつ画像伝送信号の周波数が高い場合でも十分なシールド性を確保することのできる撮像装置を提供することを目的とする。
【課題を解決するための手段】
【０００９】
本発明に係る撮像装置は、上記目的を達成するために、撮像素子および第１の接続端子を含む電子回路ユニットと、前記電子回路ユニットを収納する凹部および前記第１の接続端子を露出させる開口部を有するケースと、前記電子回路ユニットを取り囲む状態で前記ケース内に収納されたシールドケースと、前記開口部を閉塞する蓋状をなすとともに前記第１の接続端子に接続される第２の接続端子が実装された蓋状体と、を備えた撮像装置であって、前記第２の接続端子は、前記第１の接続端子に対し半径方向の外側に離間する筒状の外部導体を有するとともに、前記シールドケースは、前記第１の接続端子が貫通する貫通穴を有し、前記貫通穴の周囲には、前記外部導体と前記シールドケースとを所定の接触圧で導通させるよう弾性変形する弾性導通部材が設けられている構成を有するものである。
【００１０】
この構成により、本発明では、シールドケースが弾性導通部材を介して第２の接続端子の外部導体と所定の接触圧で接触しつつ導通することになり、弾性導通部材および第２の接続端子により、第１の接続部材が貫通するシールドケースの貫通穴が縮小されたり閉塞されたりすることになる。したがって、外部導体を介しシールドケースをアースさせてシールド性を高めるとともに、シールドケースの貫通穴部分にも有効な電磁シールドを形成できる。その結果、信号線を外部導体で取り囲む細い同軸ケーブル等により伝送経路を形成して撮像装置やそれを含むカメラシステム等の設置スペースや搭載重量を抑えつつ、画像伝送信号の周波数が高い場合でも十分なシールド性を確保することができる。
【００１１】
本発明の撮像装置においては、前記弾性導通部材が、前記外部導体と前記シールドケースの間で圧縮される導電性の環状弾性部材によって構成されていてもよい。このように構成すると、環状弾性部材が貫通穴部分における環状隙間を略閉塞することで、より有効なシールドを形成できる。
【００１２】
本発明の撮像装置においては、前記環状弾性部材が、前記外部導体の周囲で前記貫通穴を覆う導電性のウェーブワッシャによって構成されていてもよい。この場合、外部導体の周りの貫通穴がウェーブワッシャによって部分的に閉塞されつつ寸断され、貫通穴部分でのシールド性が高まる。しかも、ウェーブワッシャによってシールドケースと外部導体の間の接触圧および接触抵抗が安定確保され、良好なシールド性を長期間維持可能となる。
【００１３】
本発明の撮像装置においては、前記弾性導通部材が、互いに前記貫通穴の周方向に離間しつつ前記貫通穴の径方向に延びるよう前記シールドケースに一体に設けられた複数の撓み腕部によって構成されていてもよい。この場合、複数の撓み腕部によってシールドケースと外部導体の間の安定した接触圧および接触抵抗を確保でき、安定した良好なシールド性を長期間維持することができる。
【００１４】
本発明の撮像装置においては、前記蓋状体によって前記開口部が閉塞された状態で、前記蓋状体を前記ケースに固定する固定機構をさらに備えているとよい。
【００１５】
この構成により、外部導体とシールドケースとを弾性導通部材の弾性変形によって所定の接触圧で導通させながらも、外部導体を有する第２の接続端子が蓋状体の一部として固定機構によりケースに確実に固定される。したがって、外部導体とシールドケースの導通接触状態の安定性および信頼性が向上し、シールドケースのシールド性をより安定したものにできる。
【発明の効果】
【００１６】
本発明によれば、設置スペースや搭載重量を抑えつつ画像伝送信号の周波数が高い場合でも十分なシールド性を確保することのできる撮像装置を提供することができる。
【図面の簡単な説明】
【００１７】
【図１】本発明の第１の実施の形態に係る撮像装置の概略の全体構成を示す断面図である。
【図２】本発明の第１の実施の形態に係る撮像装置の外観斜視図である。
【図３】本発明の第１の実施の形態に係る撮像装置の内部アセンブリの分解斜視図である。
【図４】図２に示す撮像装置のフロント側の側方から見た分解斜視図である。
【図５】図２に示す撮像装置のリヤ側の側方から見た分解斜視図である。
【図６】本発明の第１の実施の形態に係る撮像装置の要部のリヤ側の外観斜視図である。
【図７】本発明の第１の実施の形態に係る撮像装置におけるウェーブワッシャを示す図であり、（ａ）はそのウェーブワッシャの外観斜視図、（ｂ）はそのウェーブワッシャの側面図である。
【図８】本発明の第２の実施の形態に係る撮像装置の要部構成を示すそのリヤ側の外観斜視図である。
【図９】本発明の第２の実施の形態に係る撮像装置の概略の全体構成を示す断面図である。
【発明を実施するための形態】
【００１８】
以下、本発明を実施するための形態について、図面を参照しつつ説明する。
【００１９】
（第１の実施の形態）
図１ないし図７は、本発明の第１の実施の形態に係る撮像装置を示す図である。
【００２０】
なお、この実施の形態の撮像装置は、車両に搭載されるカメラユニットとして構成されており、例えば他の車載カメラユニットやモニタ等を含む車載カメラネットワークシステムの一部となるものである。勿論、本発明の撮像装置は、車両以外にも搭載できる。
【００２１】
まず、本実施の形態に係る撮像装置の構成について説明する。
【００２２】
図１および図２に示すように、本実施の形態の撮像装置は、撮像装置本体１と、接続ケーブル２と、コネクタ３とを有している。
【００２３】
撮像装置本体１は、接続ケーブル２およびコネクタ３を介してカメラ電源を含む外部の電子回路から電源を供給されるとともに、撮像した画像の情報を接続ケーブル２およびコネクタ３を介して外部の電子回路に伝送可能な電源重畳方式のものである。なお、撮像装置を電源重畳方式とすること自体は、従来知られている（例えば、特開平５−３０４６３０号公報参照）ので、ここでは詳細な説明を省略する。
【００２４】
接続ケーブル２は、撮像装置本体１側の一端部に小型の同軸コネクタのプラグ、例えばＭＩＬ規格やＪＩＳ規格で規定されるＳＭＢ（Sub Miniature B）タイプもしくはそれに類似する小型のプラグ（後述する第２の接続端子１７）を有しており、ＳＭＢタイプの同軸コネクタに対応する細い同軸ケーブルによって構成されている。この接続ケーブル２の一端側のプラグは、撮像装置本体１に内蔵されるＳＭＢタイプの同軸コネクタのレセプタクル（ジャック）にスナップロックされるか、あるいは、それに代わるスナップオン接続が可能なレセプタクル（後述するレセプタクル２５の第１の接続端子１６）に接続されている。画像伝送信号の周波数を高めて伝送速度を高める場合は、信号伝送経路として、本実施の形態のように同軸ケーブルと同軸コネクタを用いることが好ましい。
【００２５】
コネクタ３は、例えばＳＭＢタイプの同軸コネクタのプラグ、あるいは、それを他のコネクタ形式に変換するコネクタプラグで構成されており、前述の外部の電気回路側に設けられた対応するレセプタクルまたは接続端子部分に着脱可能に接続される。
【００２６】
図１に示すように、撮像装置本体１は、フロントケース１１、リヤケース１２、撮像光学ユニット１３、撮像素子１４、電子回路ユニット１５、第１の接続端子１６、第２の接続端子１７、蓋状体１８およびシールドケース１９を具備している。
【００２７】
具体的には、フロントケース１１およびリヤケース１２は、それぞれ樹脂製で、撮像光学ユニット１３および電子回路ユニット１５を収納する凹部１０ａと、内方側に第１の接続端子１６を露出させる開口部１０ｂとを有するケース１０を構成している。
【００２８】
撮像光学ユニット１３は、図示しない複数のレンズからなる撮像光学系を構成しており、フロント側で内径が小さくなるフロントケース１１内に同心的に収納されている。
【００２９】
電子回路ユニット１５は、ＣＣＤ（電荷結合素子）等の撮像素子１４を実装した第１回路基板２１と、第１の接続端子１６が実装された第２回路基板２２とを、ＦＰＣ（フレキシブル回路基板）２３によって配線接続したものである。すなわち、電子回路ユニット１５は、撮像素子１４および第１の接続端子１６を含んで構成されている。
【００３０】
詳細は図示しないが、電子回路ユニット１５の第１回路基板２１および第２回路基板２２には、例えば撮像素子１４を駆動する同期信号発生回路や、撮像素子１４からの信号をサンプルホールドした後に映像信号化して増幅出力するサンプルホールド回路、ゲイン調整回路、プロセス回路および増幅回路等を構成するための、複数の電子部品が実装されている。
【００３１】
また、第１回路基板２１の撮像素子１４の近傍には、第１回路基板２１をフロント側から支承するとともに、撮像光学ユニット１３の後端部に軸方向に突き当て可能に嵌合する略環状の位置決め部材２４が設けられている。これにより、撮像光学ユニット１３と撮像素子１４とが同一の光軸（光学的中心軸線）上に位置するようにケース１０内に収納されている。
【００３２】
第１の接続端子１６は、例えば撮像装置本体１に内蔵されるＳＭＢタイプの同軸コネクタのジャック（プラグの差込み口）に類似するスナップオン接続式のレセプタクル２５の外部導体を構成している。この第１の接続端子１６は、図１に示すように、通常のスナップロック用の環状溝ではなく、先端側に先端に近付くほど小径であって先端から所定距離となる位置で最大直径となるスナップオン接続用のテーパ部１６ａを有し、基端側にはテーパ部１６ａより小径のストレート部１６ｂを有している。
【００３３】
なお、第１の接続端子１６の内部の詳細な構造は、従前のＳＭＢタイプと同様でよいのでここでは詳述しないが、レセプタクル２５は、中心導体２５ａと、その中心導体２５ａの主要部を取り囲む筒状の絶縁体２５ｂと、中心導体２５ａから径方向に離間しつつ絶縁体２５ｂを取り囲む筒状の外部導体としての第１の接続端子１６とを有しており、その内方に筒状の凹部を形成している。また、第１の接続端子１６は第２回路基板２２のグランドパターン部に接続されている。
【００３４】
第２の接続端子１７は、前述の接続ケーブル２の一端側に設けられるＳＭＢタイプの同軸コネクタのプラグであり、通常のＳＭＢタイプのレセプタクルに対しては軸方向の特定位置にスナップロックされ得る。ただし、図１に示す第１の接続端子１６に対しては、第２の接続端子１７は、軸方向の特定位置にスナップロックされず、軸方向の所定範囲内で有効な導通接続状態に接触するスナップオン接続式のものとする。
【００３５】
この第２の接続端子１７は、従前のＳＭＢタイプと同様でよいのでここでは詳述しないが、第１の接続端子１６の外周面にスナップオン係合する複数の係合爪を有する筒状の外側コンタクト１７ａと、外側コンタクト１７ａに導通状態に結合された筒状の導電性のシェル１７ｂとを有している。また、詳細構造を図示しないが、第２の接続端子１７は、例えば先端側に複数のスリットおよび接触爪部を有しレセプタクル２５の中心導体２５ａの外周面に所定の接触圧で接触する筒状の内側コンタクト１７ｃと、内側コンタクト１７ｃの主要部を取り囲む筒状の絶縁体１７ｄとを有している。
【００３６】
蓋状体１８は、予め第２の接続端子１７の主要部と接続ケーブル２の一端部とを一体に埋設するように第２の接続端子１７を実装した樹脂製の成型品で、例えばそのフロント側の表面を平滑面とし、そのリヤ側の表面にしぼ加工等による微小凹凸が形成されている。この蓋状体１８は、ケース１０の開口部１０ｂを閉塞する蓋状をなしている。
【００３７】
接続ケーブル２、第２の接続端子１７および蓋状体１８は、これら全体として一体のコネクタケーブル２０を構成している。また、第２の接続端子１７のシェル１７ｂは、接続ケーブル２側の端部で接続ケーブル２の図示しない外部導体、例えば公知の網線にろう付けもしくは圧着接続されている。そして、第２の接続端子１７の外側コンタクト１７ａは、シェル１７ｂを介して接続ケーブル２側の外部導体に導通し、接続ケーブル２を介してアース（グランド接続）されるようになっている。
【００３８】
シールドケース１９は、ケース１０の内方であって電子回路ユニット１５の周囲に箱状に設けられており、電子回路ユニット１５を取り囲む状態で電子回路ユニット１５と共にケース１０内に収納されている。
【００３９】
このシールドケース１９は、電子回路ユニット１５の第１回路基板２１および第２回路基板２２を収納する有底凹状の第１ケース部材１９ａと、この第１ケース部材１９ａの開口端側を閉塞しつつ第１ケース部材１９ａに多数箇所で圧接するように嵌合し、かつ、第１ケース部材１９ａに多数箇所でろう付けされた蓋状の第２ケース部材１９ｂとを有している。また、図３に示すように、第１ケース部材１９ａは、より具体的には、底壁部および少なくとも一対の側壁部を有するようにプレス曲げ加工した主ケース部材１９ｃの両端に、略コの字断面に曲げ加工した一対の副ケース部材１９ｄ、１９ｅを組み合わて、互いにろう付けした構成となっている。
【００４０】
ところで、第２の接続端子１７の外側コンタクト１７ａおよびシェル１７ｂは、レセプタクル側の外部導体である第１の接続端子１６に対して半径方向の外側に離間する筒状をなしており、いずれも第１の接続端子１６の外径よりも大径の内径を有している。これら外側コンタクト１７ａおよびシェル１７ｂは、双方でプラグ側の外側の導体を構成している。
【００４１】
また、シールドケース１９の第２ケース部材１９ｂには、第１の接続端子１６が貫通する貫通穴１９ｈが形成されており、その貫通穴１９ｈの周囲には、第２の接続端子１７のシェル１７ｂとシールドケース１９とを所定の接触圧で導通させるよう弾性変形する弾性導通部材としての導電性のウェーブワッシャ３１が設けられている。
【００４２】
このウェーブワッシャ３１は、第２の接続端子１７のシェル１７ｂとシールドケース１９との間で圧縮される導電性の環状弾性部材であり、例えばシェル１７ｂの周囲で貫通穴１９ｈを覆い得る略円環板状の導電金属素材（例えば、リン青銅の円環状の板ばね）を図７（ａ）および図７（ｂ）に示すように波形に湾曲させて形成されている。
【００４３】
ウェーブワッシャ３１は、その内周部３１ａでは、第２の接続端子１７のシェル１７ｂの周囲で貫通穴１９ｈを上方から覆う一方、その外周部３１ｂ側では、図１中の下面側において所定角度間隔を隔てる３箇所以上の多数箇所でシールドケース１９の貫通穴１９ｈの周囲に当接している。
【００４４】
また、この弾性導通部材３１の内周部３１ａは、第２の接続端子１７のシェル１７ｂの先端部１７ｅに軸方向変位可能に嵌合しつつ、所定角度間隔を隔てる多数箇所で先端部１７ｅより大径な段付き部１７ｆに突き当てられている。
【００４５】
一方、撮像装置本体１は、蓋状体１８によってケース１０の開口部１０ｂが閉塞された状態で、蓋状体１８をケース１０に固定する固定機構３５をさらに備えている。
【００４６】
図４ないし図６に示すように、固定機構３５は、ケース１０に形成された複数、例えば４カ所の雌ねじ孔部１０ｆと、複数の雌ねじ孔部１０ｆに対応する複数の座金部３６ａを一体化した略Ｕ字形状のブラケット３６と、蓋状体１８の周囲で複数の雌ねじ孔部１０ｆに対応する一部に形成された凹状の締結固定部１８ａと、ケース１０の開口部１０ｂと蓋状体１８との間に介在する弾性シールリング３２と、複数の雌ねじ孔部１０ｆにねじ結合する複数の雄ねじ部材３７とによって構成されている。
【００４７】
また、ブラケット３６には、撮像装置本体１を車両側に支持部材に支持させるための取付け孔、例えば雌ねじ孔を有する一対の取付板部３６ｂが設けられている。
【００４８】
次に、作用について説明する。
【００４９】
上述のように構成された本実施の形態の撮像装置においては、シールドケース１９がウェーブワッシャ３１を介して第２の接続端子１７のシェル１７ｂと所定の接触圧で接触しつつ導通することで、ウェーブワッシャ３１および第２の接続端子１７により、第２の接続端子１７のシェル１７ｂの周囲でシールドケース１９の貫通穴１９ｈによる開口の範囲が縮小されたり閉塞されたりすることになる。
【００５０】
したがって、第２の接続端子１７のシェル１７ｂを介しシールドケース１９をアースさせてシールド性を高めるとともに、シールドケース１９の貫通穴１９ｈ部分にも有効な電磁シールドを形成できる。
【００５１】
その結果、信号線を外部導体で取り囲む細い接続ケーブル２により伝送経路を形成して撮像装置やそれを含むカメラシステム等の設置スペースや搭載重量を抑えつつ、画像伝送信号の周波数が高い場合でも、撮像装置本体１の所要のＥＭＣ性能を得ることのできる十分なシールド性を確保することができる。
【００５２】
また、本実施の形態では、ウェーブワッシャ３１が、第２の接続端子１７のシェル１７ｂとシールドケース１９の間で所定の接触圧を保持しつつ、シェル１７ｂの周囲の貫通穴１９ｈにおける環状隙間を略閉塞するように覆うので、より有効なシールドを形成できることになる。
【００５３】
さらに、シェル１７ｂの周囲の貫通穴１９ｈにおける環状隙間がウェーブワッシャ３１によって部分的に閉塞されつつ短く寸断されるので、貫通穴１９ｈの部分でのシールド性が高まる。しかも、ウェーブワッシャ３１によってシールドケース１９とシェル１７ｂとの間の接触圧および接触抵抗が安定確保されるので、良好なシールド性を長期間維持することができる。
【００５４】
加えて、本実施の形態では、蓋状体１８によってケース１０の開口部１０ｂが閉塞された状態で、蓋状体１８をケース１０に固定する固定機構３５を備えているので、シールドケース１９と第２の接続端子１７のシェル１７ｂとをウェーブワッシャ３１の弾性変形によって所定の接触圧で導通させながらも、外側コンタクト１７ａおよびシェル１７ｂを有する第２の接続端子１７が蓋状体１８の一部として固定機構３５によりケース１０および第１の接続端子１６に対して確実に固定される。したがって、車載時に振動や衝撃に対して、第２の接続端子１７のシェル１７ｂとシールドケース１９との導通接触状態の安定性および信頼性が向上し、シールドケース１９のシールド性をより安定したものにできる。
【００５５】
このように、本実施の形態によれば、設置スペースや搭載重量を抑えつつ画像伝送信号の周波数が高い場合でも十分なシールド性を確保することのできる撮像装置を提供することができる。
【００５６】
（第２実施の形態）
図８、図９は、本発明の第２の実施の形態に係る撮像装置の要部構成を示している。
なお、第２の実施の形態は、弾性導通部材の形態が上述の第１の実施の形態とは相違するものの、他の構成については第１の実施の形態と類似するものである。したがって、以下、第１の実施の形態と同一または類似の構成については図１〜図７に示した対応する構成要素の符号を用いながら、第１の実施の形態と相違する点について説明する。
【００５７】
第１の実施の形態においては、シールドケース１９の貫通穴１９ｈの周囲で、第２の接続端子１７のシェル１７ｂとシールドケース１９とを所定の接触圧で導通させるよう弾性変形する弾性導通部材が、導電性のウェーブワッシャ３１によって構成されていたが、第２の実施の形態では、図８および図９に示すように、ウェーブワッシャ３１を省略し、それに代わる弾性導通部材をシールドケース１９に一体に設けるようにしている。
【００５８】
すなわち、本実施に形態における弾性導通部材は、シールドケース１９に一体に設けられた複数の片持ちの撓み腕部１９ｖによって構成されている。これら複数の撓み腕部１９ｖは、互いにシールドケース１９の貫通穴１９ｈの周方向に離間しつつ、それぞれ貫通穴１９ｈの径方向に延びるように放射状に配置されている。
【００５９】
ここで、複数の撓み腕部１９ｖを互いに離間させる放射方向の複数のスリット１９ｗの切込み深さは、第２の接続端子１７のシェル１７ｂの先端部の外径より外方に達するが、シェル１７ｂの外周面から所定範囲内に制限されている。
【００６０】
また、複数の撓み腕部１９ｖは、例えば図９中に二点鎖線の仮想線で示すように、第２の接続端子１７のシェル１７ｂの先端部で押圧されない自由状態では、それぞれの貫通穴１９ｈ側（自由端側）がシールドケース１９の上面から第２の接続端子１７のシェル１７ｂ側に突出するように形成されており、第２の接続端子１７のシェル１７ｂの先端部で押圧されたときに下方に撓むようになっている。したがって、同図中の実線位置において、複数の撓み腕部１９ｖは、第２の接続端子１７のシェル１７ｂの先端部に十分な接触圧で接触している。なお、複数の撓み腕部１９ｖに小さいパンチ穴を形成して曲げ剛性を低下させるようにしてもよい。
【００６１】
本実施の形態においても、複数の撓み腕部１９ｖによって弾性導通部材が構成されることで、シールドケース１９と第２の接続端子１７のシェル１７ｂとの間の安定した接触圧および接触抵抗を確保でき、安定した良好なシールド性を長期間維持することができ、第１の実施の形態と略同等な効果を得ることができる。
【００６２】
なお、上述の各実施の形態においては、弾性導通部材をシールドケース１９と第２の接続端子１７のシェル１７ｂの間に介在する導電性の環状弾性部材としたり、シールドケース１９に一体化した複数の放射方向の撓み腕部１９ｖとしたりしたが、第２の接続端子１７のシェル１７ｂ側に弾性導通部材を一体に設けることも考えられる。また、第２の実施の形態では、第１の実施の形態におけるウェーブワッシャ３１を無くす構成としたが、ウェーブワッシャ３１やそれに代わる導電性の環状弾性部材を併用してもよいことはいうまでもない。さらに、同軸コネクタのプラグとシールドケースとを導通させるために、ウェーブワッシャ等の弾性を有する部材を介在させるのでなく、ケースまたはプラグ側のシェルにばね性を有する部分を設けて、両者間にばね性の無いワッシャやナットを介在させてもよい。
【００６３】
また、上述の各実施の形態においては、第１の接続端子１６および第２の接続端子１７をＳＭＢコネクタまたはそれに類似する非スナップロックの小径の同軸コネクタとしたが、他のタイプの同軸コネクタであってもよい。また、外部導体またはそれに導通するシェルとシールドケースとを弾性導通部材によって所定の接触圧で導通させることができればよいので、第１の接続端子１６および第２の接続端子１７のように各１本の中心導体２５ａや内側コンタクト１７ｃを有するものでなく、複数本の内部導体を有するように構成することも考えられる。
【００６４】
以上説明したように、本発明は、設置スペースや搭載重量を抑えつつ画像伝送信号の周波数が高い場合でも十分なシールド性を確保することのできる撮像装置を提供することができるものであり、撮像装置、特に車載カメラ等に好適な撮像装置全般に有用である。
【符号の説明】
【００６５】
１…撮像装置本体、２…接続ケーブル（同軸ケーブル）、３…コネクタ、１０…ケース、１０ａ…凹部、１０ｂ…開口部、１０ｆ…ねじ孔部、１１…フロントケース、１２…リヤケース、１３…撮像光学ユニット（撮像光学系）、１４…撮像素子、１５…電子回路ユニット、１６…第１の接続端子（外部導体）、１６ａ…テーパ部、１６ｂ…ストレート部、１７…第２の接続端子（プラグ）、１７ａ…外側コンタクト（外部導体）、１７ｂ…シェル（外部導体）、１７ｃ…内側コンタクト（内部導体）、１７ｄ…絶縁体、１７ｅ…先端部、１７ｆ…段付き部、１８…蓋状体、１８ａ…締結固定部、１９…シールドケース、１９ａ…第１ケース部材、１９ｂ…第２ケース部材、１９ｃ…主ケース部材、１９ｄ、１９ｅ…副ケース部材、１９ｈ…貫通穴、１９ｖ…腕部、１９ｗ…スリット、２０…コネクタケーブル、２１…第１回路基板、２２…第２回路基板、２３…ＦＰＣ（フレキシブル回路基板）、２４…位置決め部材、２５…レセプタクル（ジャック）、２５ａ…中心導体、２５ｂ…絶縁体、３１…ウェーブワッシャ（弾性導通部材、導電性の環状弾性部材）、３１ａ…内周部、３１ｂ…外周部、３２…弾性シールリング、３５…固定機構、３６…ブラケット、３６ａ…座金部、３６ｂ…取付板部、３７…雄ねじ部材
【図１】
2015210292.tif 000003
【図２】
2015210292.tif 000004
【図３】
2015210292.tif 000005
【図４】
2015210292.tif 000006
【図５】
2015210292.tif 000007
【図６】
2015210292.tif 000008
【図７】
2015210292.tif 000009
【図８】
2015210292.tif 000010
【図９】
2015210292.tif 000011